(57)【要約】【課題】ディスプレイのキャリブレーションの失敗を抑制しつつ、ディスプレイのキャリブレーションの実行時間の長時間化を抑制する。【解決手段】表示パネルの画面に測色用画像を表示し、センサにより測色して得られる測色結果に基づいて、前記表示パネルの表示画質を調整する校正処理を行う校正手段と、前記校正処理の実行中に、前記センサの測色精度が低下する可能性がある所定の事象を検出する事象検出手段と、前記事象検出手段が前記所定の事象を検出した場合に、前記センサによる前記所定の事象の検出前および検出後の測色結果を比較することにより、前記校正処理を中止するか否かを判定する中止判定処理を行う校正中止判定手段と、を備える表示制御装置とする。【選択図】図３
2015139129.tif 000002
【特許請求の範囲】
【請求項１】
表示パネルの画面に測色用画像を表示し、センサにより測色して得られる測色結果に基づいて、前記表示パネルの表示画質を調整する校正処理を行う校正手段と、
前記校正処理の実行中に、前記センサの測色精度が低下する可能性がある所定の事象を検出する事象検出手段と、
前記事象検出手段が前記所定の事象を検出した場合に、前記センサによる前記所定の事象の検出前および検出後の測色結果を比較することにより、前記校正処理を中止するか否かを判定する中止判定処理を行う校正中止判定手段と、を備える
表示制御装置。
【請求項２】
前記校正処理では、複数の測色用画像が１つずつ順番に表示され、測色され、
前記事象検出手段が前記所定の事象を検出した場合に、
前記校正中止判定手段は、前記事象検出手段が前記所定の事象を検出した時に、前記複数の測色用画像のうち最後に表示されていたｎ番目（ｎは２以上の整数）の前記測色用画像である第ｎ測色用画像よりも前に表示されていた前画像を前記表示パネルに再表示して前記センサにより測色し、前記事象検出手段が前記所定の事象を検出する前の前記前画像の測色値と、前記事象検出手段が前記所定の事象を検出した後の前記前画像の測色値との差分である差分値が所定値より大きい場合、前記校正処理を中止すると判定する
請求項１に記載の表示制御装置。
【請求項３】
前記差分値が前記所定値以下である場合、前記校正手段は、前記第ｎ測色用画像から前記校正処理を再開する、
請求項２に記載の表示制御装置。
【請求項４】
前記前画像は、前記第ｎ測色用画像の１つ前に表示されていた第ｎ−１測色用画像である請求項２または３に記載の表示制御装置。
【請求項５】
前記校正中止判定手段は、前記センサが測色中か否かを判定し、前記センサにより測色が行われている最中に、前記事象検出手段により前記所定の事象が検出された場合にのみ、前記中止判定処理を行う
請求項２から４のいずれか１項に記載の表示制御装置。
【請求項６】
前記所定の事象は、前記表示パネルの操作ボタンに対するボタン操作である
請求項１から５のいずれか１項に記載の表示制御装置。
【請求項７】
前記表示パネルは、タッチセンサを有するタッチパネル型の表示パネルであり、
前記所定の事象は、前記タッチセンサに対するタッチ操作である
請求項１から５のいずれか１項に記載の表示制御装置。
【請求項８】
前記所定の事象は、前記表示パネルを含む表示装置本体の位置の変化である、
請求項１から５のいずれか１項に記載の表示制御装置。
【請求項９】
前記所定の事象は、前記表示パネルを含む表示装置本体に対するケーブルの挿抜である請求項１から５のいずれか１項に記載の表示制御装置。
【請求項１０】
前記センサが前記表示パネルを含む表示装置本体に内蔵される内蔵センサであるか前記表示パネルに対し着脱可能な外部センサであるかを判定するセンサ制御手段をさらに備え、
前記校正中止判定手段は、前記センサ制御手段が前記センサが前記外部センサであると
判定した場合のみ、前記中止判定処理を行う、
請求項１から９のいずれか１項に記載の表示制御装置。
【請求項１１】
表示パネルの画面に測色用画像を表示し、センサにより測色して得られる測色結果に基づいて、前記表示パネルの表示画質を調整する校正処理を行うステップと、
前記校正処理の実行中に、前記センサの測色精度が低下する可能性がある所定の事象を検出するステップと、
前記所定の事象を検出した場合に、前記センサによる前記所定の事象の検出前および検出後の測色結果を比較することにより、前記校正処理を中止するか否かを判定する中止判定処理を行う中止判定ステップと、を含む
表示制御装置の制御方法。
【請求項１２】
前記校正処理では、複数の測色用画像が１つずつ順番に表示され、測色され、
前記中止判定ステップでは、
前記所定の事象を検出した時に、前記複数の測色用画像のうち最後に表示されていたｎ番目（ｎは２以上の整数）の前記測色用画像である第ｎ測色用画像よりも前に表示されていた前画像を前記表示パネルに再表示して前記センサにより測色され、
前記所定の事象を検出する前の前記前画像の測色値と、前記所定の事象を検出した後の前記前画像の測色値との差分である差分値が所定値より大きい場合、前記校正処理を中止すると判定される
請求項１１に記載の表示制御装置の制御方法。
【請求項１３】
前記差分値が前記所定値以下である場合、前記第ｎ測色用画像から前記校正処理が再開される
請求項１２に記載の表示制御装置の制御方法。
【請求項１４】
前記前画像は、前記第ｎ測色用画像の１つ前に表示されていた第ｎ−１測色用画像である請求項１２または１３に記載の表示制御装置の制御方法。
【請求項１５】
前記センサが測色中か否かを判定するステップをさらに含み、
前記センサによる測色が行われている最中に前記所定の事象が検出された場合のみ前記中止判定処理が行われる
請求項１２から１４のいずれか１項に記載の表示制御装置の制御方法。
【請求項１６】
前記所定の事象は、前記表示パネルの操作ボタンに対するボタン操作である
請求項１１から１５のいずれか１項に記載の表示制御装置の制御方法。
【請求項１７】
前記表示パネルは、タッチセンサを有するタッチパネル型の表示パネルであり、
前記所定の事象は、前記タッチセンサに対するタッチ操作である
請求項１１から１５のいずれか１項に記載の表示制御装置の制御方法。
【請求項１８】
前記所定の事象は、前記表示パネルを含む表示装置本体の位置の変化である、
請求項１１から１５のいずれか１項に記載の表示制御装置の制御方法。
【請求項１９】
前記所定の事象は、前記表示パネルを含む表示装置本体に対するケーブルの挿抜である請求項１１から１５のいずれか１項に記載の表示制御装置の制御方法。
【請求項２０】
前記センサが前記表示パネルを含む表示装置本体に内蔵される内蔵センサであるか前記表示パネルに対し着脱可能な外部センサであるかを判定するステップを、さらに含み、
前記センサが前記外部センサであると判定した場合のみ、前記中止判定処理が行われる
請求項１１から１９のいずれか１項に記載の表示制御装置の制御方法。
【請求項２１】
請求項１１から２０のいずれか１項に記載の制御方法の各ステップをコンピュータに実行させるプログラム。
【発明の詳細な説明】
【技術分野】
【０００１】
本発明は、表示制御装置、その制御方法、および、プログラムに関するものである。
【背景技術】
【０００２】
業務用等のディスプレイでは、経年による表示画質変化を低減する為にキャリブレーションが実施される。キャリブレーション（ＣＡＬ： calibration、校正）では、ディスプレイ表示面に白やグレー等の画像（以降、パッチ画像ともいう）が表示され、測色器（ＣＡＬセンサ等）を用いてパッチ画像の輝度や色度を測色することが繰り返し行われる。
【０００３】
キャリブレーションでは、さらに、複数のパッチ画像の測色結果を基に輝度や色度が所望の値に近づくように、ディスプレイの表示画質（表示特性）が調整される。
【０００４】
図２は、キャリブレーションにおけるパッチ画像の表示と測色順の例を示す図である。図２において、横方向は、時間経過を表す。図２の例では、ｎ−１番目のパッチ画像、ｎ番目のパッチ画像、ｎ＋１番目のパッチ画像と順番に各パッチ画像が繰り返し表示され測色が行われる。測色は、パッチ画像が表示されている期間内に行われる。この測色結果を基に輝度や色度が所望の値に近づくように表示画質が調整されるため、キャリブレーションの実行には長い時間が必要となる。例えば、キャリブレーションを１回実行するには、１０分程度の時間を要する。
【０００５】
また、キャリブレーションの精度を良くするためには、測色器を用いたディスプレイ表示面の輝度や色度の測色精度が重要である。測色精度を高めるためには、測色器自体の測色精度の性能を上げるだけでなく、ディスプレイと測色器が正しい位置に設置されていることも重要な要因となる。ディスプレイ表示面に対して測色器が正しい位置に設置されていない場合、測色精度が悪くなり、目標とする表示画質を達成できないケースもある。
【０００６】
キャリブレーション実施中に、ディスプレイの本体ボタン操作や画像ケーブルの挿抜などを行った場合、ディスプレイ表示面に対する測色器の設置位置が大きく変化することがある。そのような場合、設置位置が大きく変化したことにより測色精度が低下するため、パッチ画像の測色が正常に行われなくなる。測色が正常に行われなくなった状態で、キャリブレーションを継続すると、測色結果が異常になり、最終的にキャリブレーションが失敗してしまうことがある。このように、測色精度が低下した状態でキャリブレーションを継続すると、キャリブレーションが失敗するため、ユーザーにとって時間の無駄となる。
【０００７】
特許文献１は、プリンタ用の校正に用いるデータを作成する際に出力するカラーチャートが、測色装置に正しく設置されているか否かの判定に関する。この判定は、カラーチャート毎に、カラーチャート内の特定のパッチの出力指示値に基づいて作成された判定ルールと、カラーチャートの実際の測色結果に基づいて行われる。
【先行技術文献】
【特許文献】
【０００８】
【特許文献１】特開２００９−６０２２１号公報
【発明の概要】
【発明が解決しようとする課題】
【０００９】
ディスプレイのキャリブレーションにおいて、１つのパッチ画像についての測色が失敗した場合でも、キャリブレーションが失敗することがある。ここで、キャリブレーション
の失敗とは、例えば、ディスプレイが所望の表示特性に調整されないことである。従って、すべてのパッチ画像について正確に測色することが求められる。パッチ画像が正確に測色されるには、測色器自体の測定精度がよいこととともに、ディスプレイに測色器が正しく設置されていることが求められる。測色器の設置位置がわずかにずれただけでも、キャリブレーションが失敗することがある。そこで、キャリブレーションの失敗防止のために、パッチ画像の測色毎に、ディスプレイに測色器（ＣＡＬセンサ）が正しく設置されているか否かを判定することが考えられる。
【００１０】
しかし、パッチ画像の測色毎に、ディスプレイに測色器が正しく設置されているか否かを判定すると、判定処理の回数が多くなり、キャリブレーションの実行時間が長くなる。例えば、従来１０分で終了していたキャリブレーションの実行時間が、１５分になってしまう。一方、ディスプレイに測色器が正しく設置されているか否かを判定をせずにキャリブレーションを行えば実行時間が１０分で終了するが、キャリブレーションが失敗すると実行時間の１０分が無駄になる。
【００１１】
本発明は、ディスプレイのキャリブレーションの失敗を抑制しつつ、ディスプレイのキャリブレーションの実行時間の長時間化を抑制することを目的とする。
【課題を解決するための手段】
【００１２】
本発明の表示制御装置は、
表示パネルの画面に測色用画像を表示し、センサにより測色して得られる測色結果に基づいて、前記表示パネルの表示画質を調整する校正処理を行う校正手段と、
前記校正処理の実行中に、前記センサの測色精度が低下する可能性がある所定の事象を検出する事象検出手段と、
前記事象検出手段が前記所定の事象を検出した場合に、前記センサによる前記所定の事象の検出前および検出後の測色結果を比較することにより、前記校正処理を中止するか否かを判定する中止判定処理を行う校正中止判定手段と、を備える。
【００１３】
本発明の表示制御装置の制御方法は、
表示パネルの画面に測色用画像を表示し、センサにより測色して得られる測色結果に基づいて、前記表示パネルの表示画質を調整する校正処理を行うステップと、
前記校正処理の実行中に、前記センサの測色精度が低下する可能性がある所定の事象を検出するステップと、
前記所定の事象を検出した場合に、前記センサによる前記所定の事象の検出前および検出後の測色結果を比較することにより、前記校正処理を中止するか否かを判定する中止判定処理を行う中止判定ステップと、を含む。
【００１４】
本発明の表示制御装置の制御プログラムは、
コンピュータに、
表示パネルの画面に測色用画像を表示し、センサにより測色して得られる測色結果に基づいて、前記表示パネルの表示画質を調整する校正処理を行うステップと、
前記校正処理の実行中に、前記センサの測色精度が低下する可能性がある所定の事象を検出するステップと、
前記所定の事象を検出した場合に、前記センサによる前記所定の事象の検出前および検出後の測色結果を比較することにより、前記校正処理を中止するか否かを判定する中止判定処理を行う中止判定ステップと、を実行させる。
【発明の効果】
【００１５】
本発明によれば、ディスプレイのキャリブレーションの失敗を抑制しつつ、ディスプレイのキャリブレーションの実行時間の長時間化を抑制することができる。
【図面の簡単な説明】
【００１６】
【図１】実施形態１と実施形態２に係る表示制御装置の主要な構成を示すブロック図
【図２】キャリブレーションのパッチ表示と測色順の例
【図３】実施形態１に係る動作フロー例
【図４】実施形態１に係るパッチ描画順の例
【図５】実施形態２に係る動作フロー例
【図６】実施形態２〜４に係るパッチ描画順の例
【図７】実施形態３に係る表示制御装置の主要な構成を示すブロック図
【図８】実施形態３に係る動作フロー例
【図９】実施形態４に係る表示制御装置とパソコンの主要な構成を示すブロック図
【図１０】実施形態４に係る動作フロー例
【発明を実施するための形態】
【００１７】
以下に本発明による表示制御装置及びその制御方法の実施形態について述べる。
【００１８】
〔実施形態１〕
実施形態１について、図を用いて以下に説明する。
実施形態１は、キャリブレーションの測色実行中に、測色精度が低下する可能性のある事象の１つである、本体ボタン操作（ボタン操作）の検出に基づき、キャリブレーションの継続可否を判定する例である。
【００１９】
（構成例）
図１は、実施形態１におけるディスプレイの主要な構成を示すブロック図である。
図１のディスプレイ１００は、表示パネルである画像表示部１０３と画像表示部１０３を制御する表示制御装置とを有する。表示制御装置は、全体制御部１０１、画像入出力制御部１０２、ＣＡＬ部１０４、ＣＡＬセンサ制御部１０５、ＵＩ制御部１０６、ＣＡＬ継続判断部１０７、本体ボタン１０８、電源ボタン１０９を有する。ディスプレイ１００には、画像信号源１５０から画像信号が入力される。画像信号は、ディスプレイ１００の画像表示部１０３に画像を表示するための信号である。ディスプレイ１００には、外付けのＣＡＬセンサ１６０が接続される。
【００２０】
全体制御部１０１は、ディスプレイ１００の全体を制御する。
画像入出力制御部１０２は、画像信号源１５０から入力される画像信号を、所定の処理を行って、画像表示部１０３に出力する。画像入出力制御部１０２は、ＣＡＬ部１０４から入力されるパッチ画像の画像信号を、所定の処理を行って、画像表示部１０３に出力する。画像入出力制御部１０２は、画像表示部１０３の表示制御を行う。また、画像入出力制御部１０２は、ＣＡＬ部１０４からのパッチ画像の表示要求にしたがって、パッチ画像の画像信号を生成し、画像表示部１０３に出力してもよい。
【００２１】
画像表示部１０３は、画像入出力制御部１０２から入力される画像信号の画像を画面に表示する。画像表示部１０３は、例えば、液晶表示パネル、プラズマディスプレイパネル、有機ＥＬ（Electro-Luminescence）ディスプレイパネル等の表示パネルである。表示パネルを含む部分を表示装置（表示装置本体）ともいう。
【００２２】
ＣＡＬ部１０４は、画像表示部１０３の表示特性のキャリブレーションを制御する。ＣＡＬ部１０４は、キャリブレーションで使用するパッチ画像の画像信号を画像入出力制御部１０２に出力する。また、ＣＡＬ部１０４は、画像入出力制御部１０２に、パッチ画像の表示要求を行ってもよい。ＣＡＬ部１０４は、画像入出力制御部１０２を介して、パッチ画像を画像表示部１０３に表示させる。ＣＡＬ部１０４は、測色結果に基づいて、画像
表示部１０３の表示画質を調整する。
ＣＡＬセンサ制御部１０５は、ＣＡＬセンサ１６０を制御する。ＣＡＬセンサ制御部１０５は、ＣＡＬセンサで測色された測色値を取得し、ＣＡＬ部１０４に出力する。
ＵＩ制御部１０６は、本体ボタン１０８や電源ボタン１０９を制御する。ＵＩ制御部１０６は、本体ボタン１０８や電源ボタン１０９が操作されたことを検出すると、全体制御部１０１やＣＡＬ継続判断部１０７に、操作の検出を通知する。ディスプレイ１００の使用者は、本体ボタン１０８を操作することで、ＯＳＤ（On Screen Display）機能のメニ
ューの表示とメニューの選択を行うことができ、ディスプレイ１００の設定を制御することができる。ディスプレイ１００の使用者は、本体ボタン１０８を操作することで、例えば、信号の入力設定、表示画像の輝度、コントラスト等の設定の調整やキャリブレーションを実施することが可能である。
ＣＡＬ継続判断部１０７は、測色精度が低下する可能性のある事象（所定の事象）を検出したか否かを判定する。即ち、ＣＡＬ継続判断部１０７は、所定の事象を検出する事象検出を行う。また、ＣＡＬ継続判断部１０７は、キャリブレーション（校正処理）を継続するか否かを判定する。即ち、ＣＡＬ継続判断部１０７は、校正中止判定（中止判定処理）を行う。
本体ボタン１０８は、ディスプレイ１００の操作ボタンである。ディスプレイ１００のユーザーは、本体ボタン１０８により、ＯＳＤ機能のメニューの選択等を行うことができる。
電源ボタン１０９は、ディスプレイ１００の電源を制御する。電源ボタン１０９は、キャリブレーション実行中には、無効にされる。即ち、キャリブレーション実行中に、ディスプレイ１００の使用者等によって電源ボタン１０９が押されても、電源がオフにならず、キャリブレーションが継続される。
【００２３】
画像信号源１５０は、ディスプレイ１００に表示する画像の画像信号をディスプレイ１００に出力する。画像信号源１５０の例として、パーソナルコンピュータ（ＰＣ：Personal Computer）が挙げられる。
ＣＡＬセンサ１６０は、ＣＡＬセンサ制御部１０５の指示に基づいて、画像表示部１０３の画面に表示される画像の測色を行う。ＣＡＬセンサ１６０による測色結果は、ＣＡＬセンサ制御部１０５で取得される。
【００２４】
（動作例）
以下、測色精度が低下する可能性のある事象の検出に基づいて、キャリブレーションの継続可否を判定する動作の説明を行う。
【００２５】
ユーザー（使用者）等の操作により、画像表示部１０３の表示特性のキャリブレーションが開始される。ディスプレイ１００は、輝度や色の異なる複数のパッチ画像を使用して、キャリブレーションを行う。パッチ画像は、測色用の画像であり、例えば、所定の輝度および色を有する矩形状の単色の画像である。パッチ画像は、測色用画像の一例である。ディスプレイ１００は、キャリブレーション実行時において、パッチ画像を画像表示部１０３に表示する。また、ディスプレイ１００は、ＣＡＬセンサ１６０で画像表示部１０３に表示されたパッチ画像を測色し、画像表示部１０３に表示されたパッチ画像を非表示にする。測色が行われている最中（測色中）に、測色精度が低下する可能性のある事象（所定の事象ともいう）が検出されない場合、パッチ画像は、図２のように表示される。ディスプレイ１００は、キャリブレーション実行時において、これらの動作を、複数のパッチ画像について繰り返す。パッチ画像が測色される期間は、パッチ画像が表示されている期間内である。ＣＡＬセンサ１６０で測色されたパッチ画像毎の測色値（例えば、輝度、色度など）は、ＣＡＬセンサ制御部１０５で取得される。ディスプレイ１００におけるキャリブレーションは、ＣＡＬ部１０４によって制御される。
【００２６】
キャリブレーション（校正処理）では、輝度または色の異なる複数のパッチ画像が、順番に１つずつ画面に表示される。ＣＡＬセンサ制御部１０５はＣＡＬセンサ１６０にパッチ画像の測色要求を行い、測色結果を取得し、ＣＡＬ部１０４に送信する。ＣＡＬセンサ１６０は、画面に表示されるパッチ画像の測色をパッチ画像毎（測色用画像毎）に行う。パッチ画像毎の測色結果は、例えば、ＣＡＬ部１０４に格納される。ＣＡＬ部１０４は取得した測色結果に基づいて、輝度や色度が所望の値に近づくように、表示画質を調整する。即ち、ＣＡＬ部１０４は、パッチ画像についての測色結果が得られると、所望の表示特性（表示画質）を得るためのＣＡＬ値を決定し、画像入出力制御部１０２に設定する。ＣＡＬ値は、例えば、ＲＧＢの値やバランスを調整するための調整値である。各パッチ画像の測色が正しく行われない場合、所望の表示特性を得るためのＣＡＬ値が正しく算出されない。従って、すべてのパッチ画像についての測色が正しく行われることが求められる。
【００２７】
図３は、キャリブレーション実行開始をトリガとして動作し、パッチ画像の測色中に測色精度が低下する可能性のある事象を検出した場合において、キャリブレーションの継続可否を判定する動作フローを示す図である。
【００２８】
ステップＳ３０１において、ＣＡＬ継続判断部１０７は、測色精度が低下する可能性のある事象を検出したかどうかを判定する。ＣＡＬ継続判断部１０７が当該事象を検出した場合（Ｓ３０１；ＹＥＳ）、処理がステップＳ３０２に進む。ＣＡＬ継続判断部１０７は、事象検出を所定時間おきに繰り返し行う（Ｓ３０１；ＮＯ）。本実施形態では、ＵＩ制御部１０６が本体ボタン１０８が押されたことを検出すると、ＵＩ制御部１０６は、本体ボタン１０８が押されたことを検出したこと示す検出信号を、ＣＡＬ継続判断部１０７に送信する。ＣＡＬ継続判断部１０７は、ＵＩ制御部１０６からの検出信号を受信すると、測色精度が低下する可能性のある事象の発生を認識する。
【００２９】
ステップＳ３０２において、ＣＡＬ継続判断部１０７は、ＣＡＬ部１０４からＳ３０１の事象発生時のＣＡＬ状態を取得する。ここで取得するＣＡＬ状態は、ＣＡＬセンサ１６０がパッチ画像を測色中であるか測色中でないかの２つの状態のうちのいずれか１つの状態である。
【００３０】
ステップＳ３０３において、ＣＡＬ継続判断部１０７は、取得したＣＡＬ状態が測色中であるか否かを判別する。ＣＡＬ状態が測色中である場合（Ｓ３０３；ＹＥＳ）、処理がステップＳ３０４に進む。ＣＡＬ状態が測色中でない場合（Ｓ３０３；ＮＯ）、処理がステップＳ３０１に戻る。ＣＡＬ状態が測色中でない場合、キャリブレーションは継続される。
【００３１】
ステップＳ３０４において、ＣＡＬ継続判断部１０７は、ＣＡＬ部１０４を介して、キャリブレーションを中断し、現在、画像表示部１０３に表示されているパッチ画像を、非表示にする。さらに、ＣＡＬ継続判断部１０７は、ＣＡＬ部１０４を介して、ステップＳ３０１の測色精度が低下する可能性のある事象を検出した際に表示されていたパッチ画像の１つ前に表示されていたパッチ画像を画像表示部１０３に再表示する。例えば、ステップＳ３０１の測色精度が低下する可能性のある事象を検出した際に表示されていたパッチ画像をパッチ画像ｎ（第ｎ測色用画像）とする（ｎは２以上の整数）。パッチ画像ｎは、測色精度が低下する可能性のある事象を検出した際に、最後に表示されていた画像である。また、パッチ画像ｎの１つ前に表示されていたパッチ画像をパッチ画像ｎ−１（第ｎ−１測色用画像）とする。ＣＡＬ継続判断部１０７は、ＣＡＬ部１０４を介して、ＣＡＬセンサ１６０で、画像表示部１０３に再表示されるパッチ画像（パッチ画像ｎ−１）を測色する。ここでは、再表示のパッチ画像としてパッチ画像ｎ−１が使用されているが、所定の事象を検出した際に表示されていたパッチ画像の前に表示されていた画像（前画像）であれば、再表示のパッチ画像としてパッチ画像ｎ−１以外のパッチ画像が採用されてもよ
い。
【００３２】
ステップＳ３０５において、ＣＡＬ継続判断部１０７は、ＣＡＬ部１０４から取得した、事象検出前のパッチ画像ｎ−１の測色結果と、事象検出後のパッチ画像ｎ−１の測色結果とを比較する。本実施形態では、測色結果の輝度や色度を比較する。輝度は、測色値の一例である。色度は、測色値の一例である。測色値は、いずれの表色系が使用されて、表されてもよい。
【００３３】
ステップＳ３０６において、ＣＡＬ継続判断部１０７は、測色結果を比較した結果が閾値内であるか否かを判定する。ＣＡＬ継続判断部１０７は、例えば、事象発生前と事象発生後とのパッチ画像ｎ−１の輝度の差分（差分値）が１０ｃｄ／ｍ２以下である場合、閾値内と判定し、１０ｃｄ／ｍ２より大きい場合、閾値内でないと判定する。閾値は、１０ｃｄ／ｍ２に限定されるものではない。また、ＣＡＬ継続判断部１０７は、例えば、事象発生前と事象発生後とのパッチ画像ｎ−１の色度の色空間における距離の差が、所定の閾値以下（所定値以下）である場合、閾値内と判定し、所定の閾値より大きい場合、閾値内でないと判定してもよい。
【００３４】
閾値内である場合（Ｓ３０６；ＹＥＳ）、キャリブレーションの継続が可能であると判定され、処理がステップＳ３０１に戻る。ＣＡＬ部１０４は、パッチ画像ｎからキャリブレーションを再開する。閾値内でない場合（Ｓ３０６；ＮＯ）、測色精度が低下したためキャリブレーションの継続が不可能であると判定され、処理がステップＳ３０７に進む。
【００３５】
ステップＳ３０７において、ＣＡＬ部１０４は、ＣＡＬ継続判断部１０７のキャリブレーションの継続が不可能であるという判定に従い、キャリブレーションを中止する処理を行う。ここで、ディスプレイ１００は、キャリブレーションの中止を、画面表示や音等により、ユーザーに通知してもよい。
【００３６】
図４は、測色精度が低下する可能性のある事象を検出した場合において、従来と本実施形態のキャリブレーションのパッチ画像の表示と測色の実行順序を比較した図である。図４において、横方向は、時間経過を表す。例えば、図４に示すように、キャリブレーション実行中のｎ番目のパッチ画像（パッチ画像ｎ）を測色中に、測色精度が低下する可能性のある事象が発生した場合について説明する。従来では、ディスプレイは、測色精度が低下する可能性のある事象の発生に関係なく、順番通りに、次にｎ＋１番目のパッチ画像（パッチ画像ｎ＋１）の表示と測色を行う。これに対して、本実施形態では、ディスプレイ１００は、事象発生前に測色を行ったｎ−１番目のパッチ画像（パッチ画像ｎ−１）を再度表示し、測色する。ＣＡＬ部１０４は、事象発生前の測色結果と、事象発生後に再度測色した測色結果をＣＡＬ継続判断部１０７に送信する。ＣＡＬ継続判断部１０７は、事象発生前のパッチ画像（パッチ画像ｎ−１）の測色結果と、事象発生後のパッチ画像（パッチ画像ｎ−１）の測色結果とを比較する。図４の例では、キャリブレーションを継続すると判定され、ＣＡＬ部１０４はパッチ画像ｎからキャリブレーションを再開する。
【００３７】
（実施形態１の作用、効果）
本実施形態では、ディスプレイ１００のキャリブレーション実行中において、パッチ画像の測色中に、測色精度が低下する可能性のある事象を検出した場合、ディスプレイ１００は、キャリブレーションの継続可否を判定する。ディスプレイ１００は、測色精度が低下する可能性のある事象を検出した場合に、ＣＡＬセンサ１６０による当該事象の検出前および検出後の測色結果を比較することにより、校正処理を中止するか否かを判定する。また、ディスプレイ１００は、キャリブレーションの継続不可能であると判定した場合は、キャリブレーションを中止する。これにより、キャリブレーションが失敗する要因となる測色精度が低下した状態で、キャリブレーションを継続することが無くなり、キャリブ
レーションを失敗した際の無駄なキャリブレーション実施時間を削減することができる。
【００３８】
〔実施形態２〕
実施形態２について、図を用いて以下に説明する。実施形態２は、実施形態１との共通点を有する。従って、ここでは、主として、実施形態１との相違点について説明をし、実施形態１との共通点については、説明を省略する。
実施形態１では、キャリブレーション実行中において、パッチ画像の測色中に、測色精度が低下する可能性のある事象を検出した場合、キャリブレーションの継続可否を判定していた。実施形態２では、キャリブレーション実行中において、パッチ画像の測色中であるか否かにかかわらず、測色精度が低下する可能性のある事象を検出した場合、キャリブレーションの継続可否を判定する。
【００３９】
（構成例）
実施形態２によるディスプレイの主要な構成を示すブロック図は、前述の実施形態１の図１と同様である。
【００４０】
（動作例）
以下、測色精度が低下する可能性のある事象検出に基づいて、キャリブレーションの継続可否を判定する動作の説明を行う。
図５は、キャリブレーション実行開始をトリガとして動作し、測色精度が低下する可能性のある事象を検出した場合において、キャリブレーションの継続可否を判定する動作フローを示す図である。
【００４１】
ステップＳ５０１は、実施形態１のステップＳ３０１と同様である。
ステップＳ５０２において、ＣＡＬ部１０４は、キャリブレーションを中断する。さらに、ＣＡＬ継続判断部１０７は、ＣＡＬ部１０４を介して、ステップＳ５０１の測色精度が低下する可能性のある事象を検出した時点からみて、２つ前に表示されていたパッチ画像を画像表示部１０３に再表示する。ここでは、１つ前に表示されていたパッチ画像をパッチ画像ｎとする。ステップＳ５０１の測色精度が低下する可能性のある事象を検出した時点からみて、２つ前に表示されていたいパッチ画像をパッチ画像ｎ−１とする。ＣＡＬ継続判断部１０７は、ＣＡＬ部１０４を介して、ＣＡＬセンサ１６０で、画像表示部１０３に表示されるパッチ画像（パッチ画像ｎ−１）を測色する。
【００４２】
ここで、２つ前に表示されていたいパッチ画像（パッチ画像ｎ−１）が再表示に使用されるのは、測色精度が低下する可能性のある事象の検出までにタイムラグがあり、パッチ画像ｎの表示中には当該事象が発生していた可能性があるからである。パッチ画像ｎの表示中に当該事象が発生していると、パッチ画像ｎに対する測色結果がよくないおそれがある。つまり、パッチ画像ｎ−１が表示されていた時間と、測色精度が低下する可能性のある事象の検出した時とには、時間差があり、パッチ画像ｎ−１の表示は、測色精度が低下する可能性のある事象の影響を受けていないとみなされる。
【００４３】
ステップＳ５０３、ステップＳ５０４、ステップＳ５０５は、それぞれ、実施形態１のステップＳ３０５、ステップＳ３０６、ステップＳ３０７と同様である。
【００４４】
図６は、パッチ画像が表示されていないときに、測色精度が低下する可能性のある事象を検出した場合において、従来と本実施形態のキャリブレーションのパッチ画像の表示と測色の実行順序を比較した図である。図６において、横方向は、時間経過を表す。例えば、図６に示すように、パッチ画像ｎの測色が終了し、パッチ画像ｎを非表示にした後、次のパッチ画像ｎ＋１を表示するまでの間に、測色精度が低下する可能性のある事象を検出した場合、事象を検出する２つ前のパッチ画像ｎ−１を再度表示し測色する。ＣＡＬ部１
０４は、事象発生前のパッチ画像ｎ−１の測色結果と、事象発生後のパッチ画像ｎ−１の測色結果をＣＡＬ継続判断部１０７に送信する。図６の例では、キャリブレーションを継続すると判定され、ＣＡＬ部１０４はパッチ画像ｎからキャリブレーションを再開する。
【００４５】
（実施形態２の作用、効果）
本実施形態では、ディスプレイのキャリブレーション実行中において、測色精度が低下する可能性のある事象の発生を検出した場合、事象を検出した時点より２つ前のパッチ画像を用いてキャリブレーションの継続可否を判定する。ディスプレイは、継続不可能であると判定した場合は、キャリブレーションを中止する。これにより、キャリブレーションが失敗する要因となる測色精度が低下した状態で、キャリブレーションを継続することが無くなり、キャリブレーションを失敗した際の無駄なキャリブレーション実施時間を削減することができる。また、本実施形態の構成では、測色中か否かを判定しないため、処理が簡素化される。本実施形態の構成では、測色中か否かを判定しないため、測色中でない場合についても、キャリブレーションの継続可否を判定する。
【００４６】
〔実施形態３〕
実施形態３について、図を用いて以下に説明する。実施形態３は、実施形態１、２との共通点を有する。従って、ここでは、主として、実施形態１、２との相違点について説明をし、実施形態１、２との共通点については、説明を省略する。
【００４７】
本実施形態３では、ディスプレイにキャリブレーション用のＣＡＬセンサが内蔵された例について述べる。ディスプレイは、実行中のキャリブレーションの測色に用いられているＣＡＬセンサが、ディスプレイの内蔵ＣＡＬセンサであるか外部ＣＡＬセンサであるかを判別する。ディスプレイは、外部ＣＡＬセンサを用いたキャリブレーション実行中の場合において、測色精度が低下する可能性のある事象を検出し、キャリブレーションの継続可否を判定する。
【００４８】
本実施形態において、内蔵ＣＡＬセンサはディスプレイにしっかりと固定されており、測色精度が低下する可能性のある事象が発生した際に設置位置が移動する可能性のないセンサ（内蔵センサ）を指す。例えば、内蔵ＣＡＬセンサは、ディスプレイの駆動時間が一定の時間超過毎に、定期的にキャリブレーションを実行し、画質を調整するために用いる。一方、外部ＣＡＬセンサは、ディスプレイの画面に対し着脱可能なセンサであり、ディスプレイに固定されていないため、測色精度が低下する可能性のある事象が発生した際に設置位置が移動する可能性のあるセンサを指す。ディスプレイの画面に対し着脱可能なセンサは、ディスプレイの画面に対し取り付け及び取り外しが可能なセンサである。
【００４９】
（構成例）
図７は実施形態３によるディスプレイの主要な構成を示すブロック図である。図７のブロック図と、実施形態１と実施形態２のブロック図を示した図１との差異は、ディスプレイ１００の構成に、内蔵ＣＡＬセンサ１１０を追加している点である。ここでは、ＣＡＬセンサ１６０は、内蔵ＣＡＬセンサ１１０と区別するために、外部ＣＡＬセンサ１６０としている。
【００５０】
（動作例）
以下、測色精度が低下する可能性のある事象の検出に基づいて、キャリブレーションの継続可否を判定する動作の説明を行う。
図８は、キャリブレーション実行開始をトリガとして動作し、外部センサを用いてキャリブレーションの測色を行っている場合において、測色精度が低下する可能性のある事象を検出し、キャリブレーションの継続可否を判断する動作フローを示す。
【００５１】
ステップＳ８０１において、ＣＡＬセンサ制御部１０５は、実行中のキャリブレーションの測色に用いられているＣＡＬセンサが、内蔵ＣＡＬセンサ１１０か外部ＣＡＬセンサ１６０かを判別（判定）する。外部センサが用いられている場合（Ｓ８０１；ＹＥＳ）、処理がＳ８０２に進む。外部ＣＡＬセンサ１６０が用いられていない場合（Ｓ８０１；ＮＯ）、処理がフローの開始に戻る。
【００５２】
ステップＳ８０２以降の処理は、実施形態２のステップＳ５０１以降の処理と同様である。ステップＳ８０２以降の処理は、実施形態１のステップＳ３０１以降の処理と同様であってもよい。
【００５３】
（実施形態３の作用、効果）
本実施形態では、キャリブレーション用のセンサを内蔵しているディスプレイにおいて、内蔵ＣＡＬセンサ１１０を使用しているか、外部ＣＡＬセンサ１６０を使用しているかを判定する。また、ディスプレイ１００は、外部ＣＡＬセンサ１６０を用いたキャリブレーション実行中に、測色精度が低下する可能性のある事象の発生を検出した場合、事象を検出した時点より２つ前のパッチ画像を用いてキャリブレーションの継続可否を判定する。ディスプレイ１００は、継続不可能であると判定した場合は、キャリブレーションを中止する。これにより、キャリブレーションが失敗する要因となる測色精度が低下した状態で、キャリブレーションを継続することが無くなり、キャリブレーションを失敗した際の無駄なキャリブレーション実施時間を削減することができる。
【００５４】
また、内蔵ＣＡＬセンサ１６０はディスプレイ１００にしっかりと固定されており、測色精度が低下する可能性のある事象が発生した際に内蔵ＣＡＬセンサ１１０の設置位置が移動する可能性が小さい。したがって、ディスプレイ１００は、内蔵ＣＡＬセンサ１１０を用いたキャリブレーション実行中には、測色精度が低下する可能性のある事象の発生を検出した場合であっても、キャリブレーションの継続を中止しなくてもよい。即ち、ディスプレイ１００は、内蔵ＣＡＬセンサ１１０を用いたキャリブレーション実行中には、測色精度が低下する可能性のある事象の発生を検出した場合であっても、キャリブレーションの継続可否を判定しなくてもよい。内蔵ＣＡＬセンサ１１０を用いたキャリブレーション実行中に、キャリブレーションの継続可否を判定しないことで、処理が簡素化され、キャリブレーション実施時間の長時間化を抑制することができる。
【００５５】
〔実施形態４〕
実施形態４について、図を用いて以下に説明する。実施形態４は、実施形態１〜３との共通点を有する。従って、ここでは、主として、実施形態１〜３との相違点について説明をし、実施形態１〜３との共通点については、説明を省略する。
前述の実施形態１〜３では、ディスプレイ内部でパッチ画像を生成し、キャリブレーションを実行している。本実施形態４では、パーソナルコンピュータ（ＰＣ；Personal Computer、パソコン）がパッチ画像を生成し、生成したパッチ画像をディスプレイに出力し
てキャリブレーションを実行する場合について説明する。
【００５６】
（構成例）
図９は、実施形態４によるディスプレイおよびＰＣの主要な構成を示すブロック図である。
図９のディスプレイ９００は、全体制御部９０１、画像入出力制御部９０２、画像表示部９０３、ＵＩ制御部９０４、ＣＡＬ継続判断部９０５、本体ボタン９０６、電源ボタン９０７を有する。図９のＰＣ９５０は、ＰＣ全体制御部９５１、画像出力部９５２、ＣＡＬ部９５３、ＣＡＬセンサ制御部９５４を有する。
本実施形態では、例えば、ディスプレイ９００とＰＣ９５０とが協働して表示制御装置を形成する。
【００５７】
ディスプレイ９００の全体制御部９０１、画像入出力制御部９０２、画像表示部９０３、ＵＩ制御部９０４、ＣＡＬ継続判断部９０５、本体ボタン９０６、電源ボタン９０７は、実施形態１のディスプレイ１００の対応する構成と同様である。ＣＡＬ継続判断部９０５は、ＰＣ９５０に存在してもよい。
【００５８】
ＰＣ９５０の全体制御部９５１は、ＰＣ９５０の全体を制御する。
画像出力部９５２は、ディスプレイ１００に表示する画像の画像信号をディスプレイ１００に出力する。
ＣＡＬ部９５３は、ディスプレイ９００の画像表示部９０３の表示特性のキャリブレーションを制御する。ＣＡＬ部９５３は、キャリブレーションで使用するパッチ画像の画像信号を画像出力部９５２に出力する。
ＣＡＬセンサ制御部９５４は、ＣＡＬセンサ１６０を制御する。ＣＡＬセンサ制御部１０５は、ＣＡＬセンサで測色された測色値を取得し、ＣＡＬ部９５３に出力する。
ＰＣ９５０の使用者は、ディスプレイ１００と接続された外付けのＣＡＬセンサ１６０を用いて、キャリブレーションを実施する。
【００５９】
（動作例）
以下、測色精度が低下する可能性のある事象検出に基づいて、キャリブレーションの継続可否を判定する動作の説明を行う。
【００６０】
図１０は、パソコンがディスプレイに出力したパッチ画像を用いたキャリブレーション実行中に、測色精度が低下する可能性のある事象を検出した場合において、キャリブレーションの継続可否を判定する動作フローを示す図である。
【００６１】
ステップＳ１００１において、ＣＡＬ継続判断部９０５は、測色精度が低下する可能性のある事象を検出したかどうかを判定する。ＣＡＬ継続判断部９０５が当該事象を検出した場合（Ｓ１００１；ＹＥＳ）、処理がステップＳ１００２に進む。ＣＡＬ継続判断部９０５が当該事象を検出していない場合（Ｓ１００１；ＮＯ）、処理がフローの開始に戻る。本実施形態では、ＣＡＬ継続判断部９０５が、本体ボタン９０６が押されたことを示す検出信号をＵＩ制御部９０４から受信することで、測色精度が低下する可能性のある事象を検出する。
【００６２】
ステップＳ１００２において、ＣＡＬ部９５３は、キャリブレーションを中断する。さらに、ＣＡＬ継続判断部９０５は、ＣＡＬ部９５３を介して、ステップＳ１００１の測色精度が低下する可能性のある事象を検出した時点からみて、２つ前に表示されていたパッチ画像を画像表示部９０３に再表示する。ここでは、１つ前に表示されていたパッチ画像をパッチ画像ｎとする。ステップＳ１００１の測色精度が低下する可能性のある事象を検出した時点からみて、２つ前に表示されていたいパッチ画像をパッチ画像ｎ−１とする。ＣＡＬ継続判断部９０５は、ＰＣ９５０のＣＡＬ部９５３に、ＣＡＬセンサ１６０で、画像表示部９０３に表示されるパッチ画像（パッチ画像ｎ−１）を測色することを指示する。
【００６３】
ステップＳ１００３では、ＰＣ９５０のＣＡＬ部９５３は、パッチ画像ｎ＋１をディスプレイ９００に表示することを画像出力部９５２に指示する。画像出力部９５２は、パッチ画像ｎ−１の画像信号を、ディスプレイ９０２の画像入出力制御部９０２に送信する。画像入出力制御部９０２は、画像出力部９５２の表示要求に従って、画像表示部１０３にパッチ画像ｎ−１を出力する。ＣＡＬセンサ制御部９５４はＣＡＬセンサ１６０にパッチ画像ｎ−１の測色要求を行い、測色結果を取得し、ＣＡＬ部９５３に送信する。ＣＡＬ部９５３は、ＣＡＬ継続判断部９０５に、測色結果を送信する。
【００６４】
ステップＳ１００４、ステップＳ１００５、ステップＳ１００６は、それぞれ、実施形態１のステップＳ３０５、ステップＳ３０６、ステップＳ３０７と同様である。
【００６５】
（実施形態４の作用、効果）
本実施形態では、ＰＣが出力したパッチ画像を用いたディスプレイのキャリブレーション実行中において所定の事象の発生を検出した場合、所定の事象を検出した時点より２つ前のパッチ画像を用いてキャリブレーションの継続可否を判定する。ＰＣ９５０が、継続不可能であると判定した場合は、キャリブレーションを中止する。これにより、キャリブレーションが失敗する要因となる測色精度が低下した状態で、キャリブレーションを継続することが無くなり、キャリブレーションを失敗した際の無駄なキャリブレーション実施時間を削減することができる。
【００６６】
〔その他の実施形態〕
測色精度が低下する可能性のある事象を検出するために、ディスプレイに加速度センサを搭載する例について述べる。ここでは、ディスプレイは、さらに、当該ディスプレイにかかる力を計測する加速度センサを有する。加速度センサは、ディスプレイの加速度検出を行う。例えば、ディスプレイ本体が移動した際に、加速度センサから取得した情報に基づいて、測色精度が低下する可能性のある事象を検出し、キャリブレーションの継続可否を判定する処理を行う。即ち、加速度センサが検出した加速度が所定値を超えた場合、ディスプレイは、測色精度が低下する可能性のある事象が発生したと判定する。ディスプレイに搭載された加速度センサは、ディスプレイの加速度を検出する。ディスプレイの加速度が変化したとき、ディスプレイ本体（表示装置本体）の位置は変化する。
【００６７】
また、測色精度が低下する可能性のある事象として、タッチパネル型のディスプレイ（単に、タッチパネルともいう）を操作する場合について述べる。ここでは、タッチパネル型のディスプレイは、表示パネルの表面に設置されるタッチセンサを有する。例えば、タッチパネル型のディスプレイがタッチセンサが操作されたこと（タッチ操作）を検出し、その事象に基づいてキャリブレーションの継続可否を判定する処理を行う。即ち、タッチセンサが操作された場合、ディスプレイは、測色精度が低下する可能性のある事象が発生したと判定する。タッチセンサは、ユーザーの指などが接触したことを検出するセンサである。ここでは、タッチセンサが操作されたことを検出することは、タッチセンサにユーザーの指などが接触したことを検出することを含む。
【００６８】
また、測色精度が低下する可能性のある事象として、ディスプレイの信号（ＤＶＩ，ＤＰ等）ケーブルや電源ケーブル等のケーブルを挿抜する場合について述べる。ここでは、ディスプレイは、さらに、ケーブルの挿抜を検出する手段を有する。例えば、ディスプレイがＤＰケーブルが挿抜されたことを検出すると、キャリブレーションの継続可否を判定する処理が行われる。即ち、ＤＰケーブルが挿抜されたことが検出された場合、ディスプレイは、測色精度が低下する可能性のある事象が発生したと判定する。
【００６９】
ディスプレイは、ディスプレイの所定値より大きい加速度、ディスプレイのタッチパネル操作、ディスプレイのケーブルの挿抜などを検出することにより、測色精度が低下する可能性のある事象が発生したと判定する。これらの事象は、ディスプレイを物理的に動かすものであるので、表示パネルとＣＡＬセンサとの位置関係が変化する可能性があり、測色精度が低下し得る。ディスプレイは、これらの事象の発生を検出した際に、キャリブレーション（校正処理）を継続するか否かを判定することで、無駄なキャリブレーション実施時間を削減することができる。
【００７０】
記憶装置に記録されたプログラムを読み込み実行することで前述した実施形態の機能を
実現するシステムや装置のコンピュータ（またはＣＰＵ、ＭＰＵ等のデバイス）によっても、本発明を実施することができる。また、例えば、記憶装置に記録されたプログラムを読み込み実行することで前述した実施形態の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。従って、上記コンピュータ（ＣＰＵ、ＭＰＵ等のデバイスを含む）、上記方法、上記プログラム（プログラムコード、プログラムプロダクトを含む）、上記プログラムを非一時的に保存するコンピュータ読取可能な記録媒体は、いずれも本発明の範疇に含まれる。
以上の各実施形態は、可能な限りこれらを組み合わせて実施され得る。
【符号の説明】
【００７１】
１００    ディスプレイ
１０３    画像表示部
１０４    ＣＡＬ部
１０６    ＵＩ制御部
１０７    ＣＡＬ継続判断部
１６０    ＣＡＬセンサ
【図１】
2015139129.tif 000003
【図２】
2015139129.tif 000004
【図３】
2015139129.tif 000005
【図４】
2015139129.tif 000006
【図５】
2015139129.tif 000007
【図６】
2015139129.tif 000008
【図７】
2015139129.tif 000009
【図８】
2015139129.tif 000010
【図９】
2015139129.tif 000011
【図１０】
2015139129.tif 000012